(57)【要約】【課題】  面倒なネジ止めをすることなくテンプルをヒンジ連結することができ、かつ、適度な開閉抵抗を付与することもでき、しかも、外観もスッキリとしていてデザイン性にも優れた眼鏡フレームのヒンジ連結機構を提供すること。【解決手段】  対向する側板２・２を並行的に備え、拡開または閉塞方向に弾力が作用するサドル形の湾曲バネ板材１から成る継手ヒンジであって、前記各側板２の両端部近傍の外面または内面にはダボ状ピボット21・22を各々対称的に突成する一方、眼鏡フロント枠Ｆのエンドピース３と耳掛テンプル４との突合部近傍には、前記ダボ状ピボット21・22に対応する枢孔31・41を対称的に開設し、これらの枢孔31・41に当該継手ヒンジの復帰弾力により、継手ヒンジの前記両側板２・２に突成された前記ダボ状ピボット21・22を嵌合させて眼鏡フロント枠Ｆのエンドピース３に耳掛テンプル４を折畳み操作可能に連結せしめるという技術的手段を採用した。【選択図】  図３
2007206383.tif 000002
【特許請求の範囲】
【請求項１】
対向する側板２・２を並行的に備え、拡開または閉塞方向に弾力が作用するサドル形の湾曲バネ板材１から成る継手ヒンジであって、前記各側板２の両端部近傍の外面または内面にはダボ状ピボット21・22が各々対称的に突成されている一方、
眼鏡フロント枠Ｆのエンドピース３と耳掛テンプル４との突合部近傍には、前記ダボ状ピボット21・22に対応する枢孔31・41が対称的に開設されており、これらの枢孔31・41に当該継手ヒンジの復帰弾力により、継手ヒンジの前記両側板２・２に突成された前記ダボ状ピボット21・22を嵌合させて眼鏡フロント枠Ｆのエンドピース３に耳掛テンプル４を折畳み操作可能に連結せしめたことを特徴とする眼鏡フレームのヒンジ連結機構。
【請求項２】
対向する側板２・２を並行的に備え、拡開または閉塞方向に弾力が作用するサドル形の湾曲バネ板材１から成る継手ヒンジであって、前記各側板２の両端部近傍の外面または内面には枢孔23・24が各々対称的に開設されている一方、
眼鏡フロント枠Ｆのエンドピース３と耳掛テンプル４との突合部近傍には、前記枢孔23・24に対応するダボ状ピボット32・42が対称的に突成されており、これらのダボ状ピボット32・42に当該継手ヒンジの復帰弾力により、継手ヒンジの前記両側板２・２に開設された前記枢孔23・24を嵌合させて眼鏡フロント枠Ｆのエンドピース３に耳掛テンプル４を折畳み操作可能に連結せしめたことを特徴とする眼鏡フレームのヒンジ連結機構。
【請求項３】
各側板２の両端部近傍の枢孔23・24が貫通孔であることを特徴とする請求項２記載の眼鏡フレームのヒンジ連結機構。
【請求項４】
湾曲バネ板材１の湾曲面に沿って長孔11が形成されており、エンドピース３および耳掛テンプル４に継手ヒンジを装着した状態で、この長孔11により作出される溝部が開閉することにより、復帰弾力によって着用者の側頭部に付勢可能であることを特徴とする請求項１〜３の何れか一つに記載の眼鏡フレームのヒンジ連結機構。
【請求項５】
湾曲バネ板材１の端部からそれぞれ切欠部12が形成されており、エンドピース３および耳掛テンプル４に継手ヒンジを装着した状態で、この切欠部12により作出される溝部が開閉することにより、復帰弾力によって着用者の側頭部に付勢可能であることを特徴とする請求項１〜３の何れか一つに記載の眼鏡フレームのヒンジ連結機構。
【請求項６】
エンドピース３および耳掛テンプル４に継手ヒンジが装着された状態で、側板２・２間に止着部材５が嵌入可能であることを特徴とする請求項１〜５の何れか一つに記載の眼鏡フレームのヒンジ連結機構。
【請求項７】
湾曲バネ板材１および側板２・２が、プラスチック材料または金属材料により一体に成形されていることを特徴とする請求項１〜６の何れか一つに記載の眼鏡フレームのヒンジ連結機構。
【発明の詳細な説明】
【技術分野】
【０００１】
本発明は、眼鏡フレームの改良、更に詳しくは、面倒なネジ止めをすることなくテンプルをヒンジ連結することができ、かつ、適度な開閉抵抗を付与することもでき、しかも、外観もスッキリとしていてデザイン性にも優れた眼鏡フレームのヒンジ連結機構に関するものである。
【背景技術】
【０００２】
周知のとおり、眼鏡フレームは種々の部品から構成されており、眼鏡フロント枠側方には左右それぞれに耳掛テンプルが配設されており、ヒンジ部品によって回動自在に折り畳み可能に連結されている。
【０００３】
従来、かかるヒンジ連結部分においては、ネジ部品を螺入することによって枢結するものが開示されている（例えば、特許文献１参照）。
【０００４】
しかしながら、かかるネジ部品を用いる場合にあっては、不可避的にネジに緩みが生じてしまい、耳掛テンプルがグラついて、眼鏡の使い勝手が非常に悪くなってしまうという不満があった。また、ネジ頭が露出して外観的に野暮ったい印象を与えてしまうという不満もあった。
【特許文献１】特開２００５−３０１１６７号公報（第９頁、図１−２）
【発明の開示】
【発明が解決しようとする課題】
【０００５】
本発明は、従来の眼鏡部品に上記問題があったことに鑑みて為されたものであり、その目的とするところは、面倒なネジ止めをすることなくテンプルをヒンジ連結することができ、かつ、適度な開閉抵抗を付与することもでき、しかも、外観もスッキリとしていてデザイン性にも優れた眼鏡フレームのヒンジ連結機構を提供することにある。
【課題を解決するための手段】
【０００６】
本発明者が上記技術的課題を解決するために採用した手段を、添付図面を参照して説明すれば、次のとおりである。
【０００７】
即ち、本発明は、対向する側板２・２を並行的に備え、拡開または閉塞方向に弾力が作用するサドル形の湾曲バネ板材１から成る継手ヒンジであって、前記各側板２の両端部近傍の外面または内面にはダボ状ピボット21・22を各々対称的に突成する一方、
眼鏡フロント枠Ｆのエンドピース３と耳掛テンプル４との突合部近傍には、前記ダボ状ピボット21・22に対応する枢孔31・41を対称的に開設し、これらの枢孔31・41に当該継手ヒンジの復帰弾力により、継手ヒンジの前記両側板２・２に突成された前記ダボ状ピボット21・22を嵌合させて眼鏡フロント枠Ｆのエンドピース３に耳掛テンプル４を折畳み操作可能に連結せしめるという技術的手段を採用した。
【０００８】
また、本発明は、対向する側板２・２を並行的に備え、拡開または閉塞方向に弾力が作用するサドル形の湾曲バネ板材１から成る継手ヒンジであって、前記各側板２の両端部近傍の外面または内面には枢孔23・24を各々対称的に開設する一方、
眼鏡フロント枠Ｆのエンドピース３と耳掛テンプル４との突合部近傍には、前記枢孔23・24に対応するダボ状ピボット32・42を対称的に突成し、これらのダボ状ピボット32・42に当該継手ヒンジの復帰弾力により、継手ヒンジの前記両側板２・２に開設された前記枢孔23・24を嵌合させて眼鏡フロント枠Ｆのエンドピース３に耳掛テンプル４を折畳み操作可能に連結せしめるという技術的手段を採用した。
【０００９】
また、本発明は、上記課題を解決するために、必要に応じて上記手段に加え、各側板２の両端部近傍の枢孔23・24を貫通孔にするという技術的手段を採用した。
【００１０】
更にまた、本発明は、上記課題を解決するために、必要に応じて上記手段に加え、湾曲バネ板材１の湾曲面に沿って長孔11を形成し、エンドピース３および耳掛テンプル４に継手ヒンジを装着した状態で、この長孔11により作出される溝部が開閉することにより、復帰弾力によって着用者の側頭部に付勢可能にするという技術的手段を採用した。
【００１１】
更にまた、本発明は、上記課題を解決するために、必要に応じて上記手段に加え、湾曲バネ板材１の端部からそれぞれ切欠部12を形成し、エンドピース３および耳掛テンプル４に継手ヒンジを装着した状態で、この切欠部12により作出される溝部が開閉することにより、復帰弾力によって着用者の側頭部に付勢可能にするという技術的手段を採用した。
【００１２】
更にまた、本発明は、上記課題を解決するために、必要に応じて上記手段に加え、エンドピース３および耳掛テンプル４に継手ヒンジが装着された状態で、側板２・２間に止着部材５を嵌入可能にするという技術的手段を採用した。
【００１３】
更にまた、本発明は、上記課題を解決するために、必要に応じて上記手段に加え、湾曲バネ板材１および側板２・２を、プラスチック材料または金属材料により一体に成形するという技術的手段を採用した。
【発明の効果】
【００１４】
本発明にあっては、対向する側板を並行的に備え、拡開または閉塞方向に弾力が作用するサドル形の湾曲バネ板材から成る継手ヒンジであって、前記各側板の両端部近傍の外面または内面にはダボ状ピボットを各々対称的に突成する一方、眼鏡フロント枠のエンドピースと耳掛テンプルとの突合部近傍には、前記ダボ状ピボットに対応する枢孔を対称的に開設したことによって、これらの枢孔に当該継手ヒンジの復帰弾力により、継手ヒンジの前記両側板に突成された前記ダボ状ピボットを嵌合させて眼鏡フロント枠のエンドピースに耳掛テンプルを折畳み操作可能に連結せしめることができる。
【００１５】
したがって、面倒なネジ止めをすることなくテンプルをヒンジ連結することができ、かつ、適度な開閉抵抗を付与することもでき、しかも、外観もスッキリとしていてデザイン性にも優れた眼鏡フレームを作製することができることから、その産業上の利用価値は頗る大きいと云える。
【発明を実施するための最良の形態】
【００１６】
本発明を実施するための最良の形態を具体的に図示した図面に基づいて更に詳細に説明すると、次のとおりである。
【００１７】
『第１実施形態』
本発明の第１実施形態を図１から図５に基づいて説明する。図中、符号１で指示するものは湾曲バネ板材であり、この湾曲バネ板材１は、拡開または閉塞方向に弾力が作用するサドル形の板材であって、本実施形態では、プラスチック材料（例えば、ＰＰＳ：ポリフェニレンサルファイドなど）により作製され、先端が若干「ハ」の字状に開放している（図１および図２参照）。
【００１８】
また、符号２で指示するものは側板であり、この側板２は、前記湾曲バネ板材１の両端部に対向して並行的に備えられた板状部材である。
【００１９】
更にまた、符号３で指示するものは、眼鏡フロント枠Ｆの側方に配設されるエンドピースであり、符号４で指示するものは、このエンドピース３にヒンジ連結されるべき耳掛テンプルである。
【００２０】
しかして、本実施形態品を構成するにあっては、まず、対向する側板２・２を並行的に備え、拡開方向に弾力が作用するサドル形の湾曲バネ板材１から成る継手ヒンジを形成する。
【００２１】
この際、前記各側板２の両端部近傍の外面にはダボ状ピボット21・22を各々対称的に突成することにより、回転軸を形成する。
【００２２】
また、眼鏡フロント枠Ｆのエンドピース３と耳掛テンプル４との突合部近傍には、前記ダボ状ピボット21・22に対応する枢孔31・41を対称的に開設する。具体的には、スリットを設け、その内側面の上下にそれぞれ開設する。
【００２３】
そして、これらの枢孔31・41に当該継手ヒンジの復帰弾力により、継手ヒンジの前記両側板２・２に突成された前記ダボ状ピボット21・22を嵌合させる（図３参照）。このようにして、眼鏡フロント枠Ｆのエンドピース３に耳掛テンプル４を折畳み操作可能に連結せしめることができる。
【００２４】
したがって、本実施形態では、面倒なネジ止めが不要であり、また、湾曲バネ板材１の復帰弾力が、嵌合と同時に付勢することによって、適度な開閉抵抗を付与することもできる。更に、スッキリとした外観を構成するので、優れたデザイン性を得ることもできる（図４および図５参照）。
【００２５】
なお、図５に示したように、エンドピース３および耳掛テンプル４に継手ヒンジが装着された状態で、側板２・２間に止着部材５を嵌入可能に構成することにより、当該部品をより確実に止着して、ねじれ方向に加わる力に対する部品の脱落を防止することができ、かつ、付勢力を増加せしめて良好な開閉抵抗を付与することができる。
【００２６】
また、本実施形態では、湾曲バネ板材１および側板２・２を、プラスチック材料または金属材料により一体に成形することができる。この際、プラスチック材料としては、前記したＰＰＳ（ポリフェニレンサルファイド）のほか、ポリエステルエラストマー、ＰＰ（ポリプロピレン）、ＰＩ（ポリイミド）、ＰＡ（ポリアミド）、ＰＣ（ポリカーボネート）、ＰＥＫ（ポリエーテルケトン）、ＰＳＵ（ポリサルフォン）などを採用することができ、主に比重が軽く、耐摩耗性・耐熱性・曲げ弾性・応力亀裂抵抗・成形加工性・耐衝撃性・耐薬品性の良好なものを選定することが望ましい。また、金属材料としては、ステンレスバネ、チタン、β−チタン、β−Ｃチタン、ゴムメタル、ＮＴ合金などを採用し、これらの材料を薄板打抜き加工または鋳造により成形することができる。
【００２７】
『第２実施形態』
本発明の第２実施形態を図６から図８に基づいて説明する。本実施形態では、第１実施形態と逆の凹凸関係を有する構成であって、対向する側板２・２を並行的に備え、拡開方向に弾力が作用するサドル形の湾曲バネ板材１から成る継手ヒンジであって、前記各側板２の両端部近傍の外面には枢孔23・24が各々対称的に開設されている（図６および図７参照）。なお、本実施形態では、成形を容易にするため貫通孔とした。
【００２８】
この際、眼鏡フロント枠Ｆのエンドピース３と耳掛テンプル４との突合部近傍には、前記枢孔23・24に対応するダボ状ピボット32・42を対称的に突成する。具体的には、スリットを設け、その内側面の上下にそれぞれ突成する。
【００２９】
そして、図８に示すように、これらのダボ状ピボット32・42に当該継手ヒンジの復帰弾力により、継手ヒンジの前記両側板２・２に開設された前記枢孔23・24を嵌合させて眼鏡フロント枠Ｆのエンドピース３に耳掛テンプル４を折畳み操作可能に連結せしめることができる。
【００３０】
『第３実施形態』
本発明の第３実施形態を図９から図13に基づいて説明する。本実施形態では、湾曲バネ板材１は先端に向かって両端部の間隔が逓次的に狭くなるように成形されており、対向する側板２・２を並行的に備え、閉塞方向に弾力が作用するサドル形の湾曲バネ板材１から成る継手ヒンジを形成する（図９および図10参照）。
【００３１】
この際、前記各側板２の両端部近傍の内面に枢孔23・24を各々対称的に開設する一方、眼鏡フロント枠Ｆのエンドピース３と耳掛テンプル４との突合部近傍には、前記枢孔23・24に対応するダボ状ピボット32・42を対称的に突成する（図11参照）。
【００３２】
そして、これらのダボ状ピボット32・42に当該継手ヒンジの復帰弾力により、継手ヒンジの前記両側板２・２に開設された前記枢孔23・24を嵌合させて眼鏡フロント枠のエンドピース３に耳掛テンプル４を折畳み操作可能に連結せしめる（図12および図13参照）。
【００３３】
『第４実施形態』
本発明の第４実施形態を図14から図16に基づいて説明する。本実施形態では、第３実施形態と逆の凹凸関係を有する構成であって、対向する側板２・２を並行的に備え、閉塞方向に弾力が作用するサドル形の湾曲バネ板材１から成る継手ヒンジであって、前記各側板２の両端部近傍の内面にはダボ状ピボット21・22を各々対称的に突成する（図14および図15参照）。
【００３４】
そして、眼鏡フロント枠Ｆのエンドピース３と耳掛テンプル４との突合部近傍には、前記ダボ状ピボット21・22に対応する枢孔31・41が対称的に開設されており、これらの枢孔31・41に当該継手ヒンジの復帰弾力により、継手ヒンジの前記両側板２・２に突成された前記ダボ状ピボット21・22を嵌合させて眼鏡フロント枠のエンドピース３に耳掛テンプル４を折畳み操作可能に連結せしめることができる（図16参照）。
【００３５】
なお、上記何れの実施形態においても、図17および図18に示すように、湾曲バネ板材１の湾曲面に沿って長孔11を形成し、継手ヒンジを装着した状態で、この長孔11により作出される溝部を開閉せしめることにより、復帰弾力によって着用者の側頭部に付勢可能であり、適度なフィット感を付与することができる。
【００３６】
また、図19および図20に示すように、湾曲バネ板材１の端部からそれぞれ切欠部12を形成して、継手ヒンジを装着した状態で、この切欠部12により作出される溝部を開閉せしめることによっても、同様にして、復帰弾力によって着用者の側頭部に付勢可能である。
【００３７】
本発明の実施形態は概ね上記のように構成されるが、本発明は図示の実施形態に限定されるものでは決してなく、「特許請求の範囲」の記載内において種々の変更が可能であって、例えば、湾曲バネ板材１は、弾性材料であれば使用材料の変更が可能であり、また、ダボ状ピボットと枢孔とは嵌合して回動自在に構成する場合であれば、ダボ状ピボットは円柱形状のものには限られず、枢孔を円形とすれば足りる。
【００３８】
また、側板２の周縁形状に角部を設けたり、ダボ状ピボットの断面形状および枢孔（止着孔）を図21に示すような形状にすることにより、一方の嵌合部を回動させずに止着固定することができる。
【００３９】
更にまた、側板２・２間に嵌入する止着部材５は、図22に示すような形状にすることもできるし、また、図23に示すように、側板２・２の対向面をそれぞれ隆起せしめ、これらを圧接しつつ装着することによっても脱落防止および付勢力増加を実現することができ、これら何れのものも本発明の技術的範囲に属する。
【図面の簡単な説明】
【００４０】
【図１】本発明の第１実施形態の眼鏡部品の斜視図である。
【図２】本発明の第１実施形態の眼鏡部品の側面図である。
【図３】本発明の第１実施形態の連結機構の分解斜視図である。
【図４】本発明の第１実施形態の連結機構の斜視図である。
【図５】本発明の第１実施形態の連結機構の斜視図である。
【図６】本発明の第２実施形態の眼鏡部品の斜視図である。
【図７】本発明の第２実施形態の眼鏡部品の側面図である。
【図８】本発明の第２実施形態の連結機構の分解斜視図である。
【図９】本発明の第３実施形態の眼鏡部品の斜視図である。
【図１０】本発明の第３実施形態の眼鏡部品の側面図である。
【図１１】本発明の第３実施形態の連結機構の分解斜視図である。
【図１２】本発明の第３実施形態の連結機構の斜視図である。
【図１３】本発明の第３実施形態の連結機構の斜視図である。
【図１４】本発明の第４実施形態の眼鏡部品の斜視図である。
【図１５】本発明の第４実施形態の眼鏡部品の側面図である。
【図１６】本発明の第４実施形態の連結機構の分解斜視図である。
【図１７】本発明の実施変形例の眼鏡部品の斜視図である。
【図１８】本発明の実施変形例の眼鏡部品の説明上面図である。
【図１９】本発明の実施変形例の眼鏡部品の斜視図である。
【図２０】本発明の実施変形例の眼鏡部品の説明上面図である。
【図２１】本発明の実施変形例の眼鏡部品の斜視図である。
【図２２】本発明の実施変形例の連結機構の斜視図である。
【図２３】本発明の実施変形例の連結機構の斜視図である。
【符号の説明】
【００４１】
１    湾曲バネ板材
11    長孔
12    切欠部
２    側板
21    ダボ状ピボット
22    ダボ状ピボット
23    枢孔
24    枢孔
３    エンドピース
31    枢孔
32    ダボ状ピボット
４    耳掛テンプル
41    枢孔
42    ダボ状ピボット
５    止着部材
Ｆ    眼鏡フロント枠
【図１】
2007206383.tif 000003
【図２】
2007206383.tif 000004
【図３】
2007206383.tif 000005
【図４】
2007206383.tif 000006
【図５】
2007206383.tif 000007
【図６】
2007206383.tif 000008
【図７】
2007206383.tif 000009
【図８】
2007206383.tif 000010
【図９】
2007206383.tif 000011
【図１０】
2007206383.tif 000012
【図１１】
2007206383.tif 000013
【図１２】
2007206383.tif 000014
【図１３】
2007206383.tif 000015
【図１４】
2007206383.tif 000016
【図１５】
2007206383.tif 000017
【図１６】
2007206383.tif 000018
【図１７】
2007206383.tif 000019
【図１８】
2007206383.tif 000020
【図１９】
2007206383.tif 000021
【図２０】
2007206383.tif 000022
【図２１】
2007206383.tif 000023
【図２２】
2007206383.tif 000024
【図２３】
2007206383.tif 000025